(57)【要約】      （修正有）【課題】降雨後等の地面や床面、運動場、その他の平面や凹面に溜った水を、ほとんど手足を濡らすことなく、少ない力で、その場で、吸水、排水作業を繰り返し行うことのできる、吸水ローラーおよび専用絞り装置を提供する。【解決手段】吸水ローラーで地面に溜った水の上を数回、前後に転がすことによって、スポンジ８が水分を吸収する。吸収した水分は、専用絞り装置を使用することで、ほとんど手足を濡らすことなく、排水できる。また、専用絞り装置を使用しなくとも片端からサイドプレート７を直接押し下げることによって、排水できる。【選択図】図１
0003170892.tif 000002
【実用新案登録請求の範囲】
【請求項１】
円筒状に形成した吸水性のスポンジ複数個を、Ｕ字状に構成したパイプフレームの一方の直線部を中心軸として、両端を加圧用のサイドプレートで挟み込むように可動可能に取付けた吸水ローラー。
【請求項２】
Ｕ字状に構成したパイプフレームの吸水性のスポンジが取付けた直線部の反対側の直線部の端部に折り畳み可能にハンドルを設けた請求項１に記載した吸水ローラー。
【請求項３】
請求項１又は請求項２に記載の吸水ローラー専用絞り装置であって、プレートに加圧用のサイドプレートを支持するための穴を設け、このプレートをバケツ上面、あるいは台座に一定の高さを保持して固定し、Ｕ字状に構成したパイプフレームの一方の直線部の片端から垂直に押しつけ、吸水したスポンジに直接手を触れることなく排水作業が行える専用絞り装置。
【考案の詳細な説明】
【技術分野】
【０００１】
本発明は地面や床面、その他平面や凹面に溜った水をスポンジによって吸い取り、かつ簡単に排水できる装置に関する。
【背景技術】
【０００２】
降雨後等の地面や床面、運動場、その他の平面や凹面に溜った水を除去するために、従来は布やスポンジで直接吸い取り、手絞りや足踏みで吸い取った水を排出していた。もしくはゴム製の水切りワイパー等により排水口のある場所まで水を押し流していく作業を繰り返していた。また、水吸い取り具、吸水ローラーを使用して水を除去していた。
【先行技術文献】
【特許文献】
【０００３】
【特許文献１】実用新案登録番号  第３００２７９６号
【特許文献２】実用新案登録番号  第３００３９９４号
【考案の概要】
【考案が解決しようとする課題】
【０００４】
従来の水吸い取り具、吸水ローラーでは排水口が近くにない場合、水分を吸収して重量が増した器具を排水口のある場所まで運んで排水する作業を繰り返して行わなければならない。
【０００５】
その場で排水作業を行う場合は、非常に大型な排水用容器を用意しなければならない。
【０００６】
水切りワイパーで除水作業を行う場合は、水の除去を必要とする面に凹凸がある、あるいは  運動場のように舗装面でない場合は、使用が非常に困難である。
【０００７】
排水作業時には手足を濡らしてしまい、汚水の除去には非常に困難を要する。
【０００８】
吸水器具に排水機能を備えつけた物だと、それ自体の重量も増し、吸水時の重量が増した状態では、非常に労力を要する。
【課題を解決するための手段】
【０００９】
本発明は、円筒状に形成した吸水性のスポンジ複数個を、Ｕ字状に構成したパイプフレームの一方の直線部を中心軸として、両端を加圧用のサイドプレートで挟み込むように可動可能に取付けた吸水ローラーである。
【００１０】
Ｕ字状に構成したパイプフレームの吸水性のスポンジが取付けた直線部の反対側の直線部の端部に折り畳み可能にハンドルを設けた吸水ローラー。
【００１１】
吸水ローラー専用絞り装置であって、プレートに加圧用のサイドプレートを支持するための穴を設け、このプレートをバケツ上面、あるいは台座に一定の高さを保持して固定し、Ｕ字状に構成したパイプフレームの一方の直線部の片端から垂直に押しつけ、吸水したスポンジに直接手を触れることなく排水作業が行える、専用絞り装置である。
【考案の効果】
【００１２】
本発明の吸水ローラー及び専用絞り装置は、吸水ローラーで除水したい地面を、軽く数回、転がすことにより多量の水分を吸収し、吸収した水分を専用絞り装置を使用することにより、その場で簡単に吸収した水を外部、またはバケツ等の容器に排出でき、ほとんど手足を濡らすことなく、バケツ等の容器がいっぱいになるまで繰り返しその場で作業することができる。
【００１３】
また、専用絞り装置を使用しない場合でもいずれかの端のサイドプレートを垂直方向に押し下げることにより、軽い力で排水作業を行うことができる。
【図面の簡単な説明】
【００１４】
【図１】吸水ローラー本体の全体を示す正面図と右側面図
【図２】吸水ローラーの使用状況を示す斜視図
【図３】専用絞り装置をバケツ上面に取付けた状態を示す斜視図
【図４】バケツ上面に専用絞り装置を取付けた状態での排水作業を示す斜視図
【図５】専用絞り装置を使用せずに行う排水作業を示す斜視図
【考案を実施するための形態】
【００１５】
本考案の実施形態を、図１〜図５を用いて詳細に説明する。
【実施例】
【００１６】
図１は吸水ローラー本体の構成を示す正面図と右側面図である。円筒状に形成した吸水性のスポンジ８を複数個、パイプでＵ字状に構成したフレーム３の一方の直線部を中心軸として、スポンジの両端をサイドプレート７で挟み込むように可動可能な状態に取付け、端部を平ワッシャー１１、スプリングワッシャー１０および六角ボルト９で脱落しないように支持する。
フレーム３の他方の直線部の端部に、グリップ１を有するハンドル２を垂直に取付ける。なお、フレーム３とブラケット４は結合されており、ハンドル２はシャフト５を軸として、ブラケット４に回転可能な状態で連結されており、ハンドル２はフレーム３に対して、水平方向に折り畳むことを可能としている。ハンドル２をフレーム３に対して垂直な状態において、ノブボルト６をフレーム３の端部に設置されたネジ部に締め付け、結束することにより、容易に組立できるものとする。
【００１７】
図２は吸水ローラーを使用して、水を吸収する使用方法を示す斜視図である。地面や床面に溜った水の上を、吸水ローラーで数回、前後に軽く転がし水分を吸収させる。
【００１８】
図３は専用絞り装置を、バケツ１２上面に取付ける状態を示す斜視図である。
専用絞り装置は、サイドプレート７の中心部に設けた突起を支持するための穴を設けたプレート１３である。
【００１９】
図４はバケツ１２上面に、専用絞り装置を取付けた状態で行う排水方法を示す斜視図である。バケツ１２上面に取付けた、プレート１３の穴に、吸水ローラーのフレーム３の一方の直線部の端部のサイドプレート７の中心部の突起をはめ込む。その状態でフレーム３のＵ字曲げ側、およびハンドル２を支持して、垂直に下に押し下げる。スポンジ８は両端のサイドプレート７に圧縮され、吸収した水分が排出され、フレーム３だけが専用絞り装置の下方に突き出る。
【００２０】
図５は、専用絞り装置を使用せずに行う排水作業を示す斜視図である。専用絞り装置を使用しない場合は、両端どちら側からでも、サイドプレート７を直接中心軸フレーム３に対し、垂直方向に押し下げることによって、スポンジ８を圧縮し、吸収した水分をその場で排出することができる。
【符号の説明】
【００２１】
１    グリップ
２    ハンドル
３    フレーム
４    ブラケット
５    シャフト、
６    ボルト、  
７    サイドプレート
８    スポンジ
９    六角ボルト
１０  スプリングワッシャー
１１  平ワッシャー、
１２  バケツ
１３  プレート
【図１】
0003170892.tif 000003
【図２】
0003170892.tif 000004
【図３】
0003170892.tif 000005
【図４】
0003170892.tif 000006
【図５】
0003170892.tif 000007